【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
ネットワークを介して接続される画像送信装置および画像受信装置から構成される画像伝送システムであって、
前記画像送信装置は、送信するための画面のうちで時系列的に変化した部分の画像の範囲を蓄積する変化範囲蓄積手段と、前記ネットワークによる画像伝送が行なわれるときにはその時点で蓄積されている変化した画像の範囲の画像を読み出して画像圧縮データとして送信するとともに、蓄積されていた画像の範囲を初期化する蓄積画像送信手段とを有し、
前記画像受信装置は、受信した前記画像圧縮データを展開した画像データを用いて、既に記憶している画面の画像データにおける前記変化した画像部分を更新する画像更新手段を有する、画像伝送システム。
【請求項２】
前記画像送信装置は、画面を構成する最新の画像を記憶する画面画像記憶手段を備え、
前記変化範囲蓄積手段は、送信するための画面のうちで時系列的に変化した部分の画像を包含する所定の領域を順次取得して、取得した該領域と以前に蓄積されている領域とを比較し、両方の領域に重複する範囲がない場合には該領域を領域の位置・範囲情報として記憶し、また両方の領域に重複する範囲がある場合には両領域を包含する新しい領域を領域の位置・範囲情報として記憶し、
前記蓄積画像送信手段は、前記ネットワークによる画像伝送が行なわれるときにはその時点で記憶されている前記領域のそれぞれに対応する画像を前記画面画像記憶手段から読み出して画像圧縮を行い、前記位置・範囲情報を付して画像圧縮データとしてネットワークを介して前記画像受信装置に送信して、前記領域の記憶を初期化し、
前記画像更新手段は、受信した前記画像圧縮データを展開した画像データを用いて、既に記憶している画面の画像データにおける前記画像圧縮データの位置・範囲情報に対応する部分の画面の画像データを更新する、請求項１に記載の画像伝送システム。
【請求項３】
１台の前記画像送信装置と、１台の前記画像受信装置とを備える、請求項１または請求項２に記載の画像伝送システム。
【請求項４】
１台の前記画像送信装置と、複数の前記画像受信装置とを備える、請求項１または請求項２に記載の画像伝送システム。
【請求項５】
前記画像送信装置がコンピュータであり、前記画像受信装置がプロジェクタである、請求項１から請求項４のいずれか１項に記載の画像伝送システム。
【請求項６】
画像受信装置にネットワークを経由して画像データを送信する画像送信装置であって、
送信する画面の画像を描画して画像データを記憶装置に記憶させる画像描画部、
送信するための画面のうちで時系列的に変化した部分の画像を包含する所定の領域を順次取得して、取得した該領域と以前に蓄積されている領域とを比較し、両方の領域に重複する範囲がない場合には該領域を領域の位置・範囲情報として記憶し、また両方の領域に重複する範囲がある場合には両領域を包含する新しい領域を領域の位置・範囲情報として記憶し、前記ネットワークによる画像伝送が行なわれるときにはその時点で記憶されている前記領域のそれぞれに対応する前記画像データを前記記憶装置から読み出して画像圧縮データとし、前記領域の記憶を初期化させる画像処理装置、
前記画像描画部で描画された画像と、前記画像処理装置で識別および生成した前記領域のそれぞれの位置・範囲情報と、前記画像圧縮データとを記憶する記憶装置、
および、前記圧縮データを前記領域の位置・範囲情報と関連付けて送信する画像送信部を備える、画像送信装置。
【請求項７】
前記画像処理装置は、描画範囲入力部、描画範囲限定部、描画範囲集合出力部、および画像圧縮部を有し、前記記憶装置は、前記画像描画部で描画された画像を記憶する画像記憶部、前記画像処理装置で識別および生成した前記領域のそれぞれの位置・範囲情報を記憶する描画範囲集合記憶部、および送信のための画像圧縮データを記憶する画像圧縮データ記憶部を有し、
前記描画範囲入力部は、前記画像描画部によって新たに画面に描画された画像を受け取って、描画された画像を包含する所定の領域を識別して前記描画範囲限定部に出力し、該描画範囲限定部は、前記描画範囲入力部から受け取った所定の領域を前記描画範囲集合記憶部から読み出した既に記憶されているそれぞれの所定の領域と比較し、受け取った前記領域に以前に記憶されている領域と重複する範囲のない場合は受け取った前記領域を位置・範囲情報として前記描画範囲集合記憶部に書き込み、また以前に記憶されている領域と重複する範囲がある場合には両領域を含んで生成した新しい領域を、領域のそれぞれの位置・範囲情報として前記描画範囲集合記憶部に書き込み、
前記描画範囲集合出力部は、前記画像送信部より圧縮画像データの送信が可能との情報を受けると、前記描画範囲集合記憶部に記憶されている全ての領域の位置・範囲情報を読み出して前記画像圧縮部に受け渡すとともに前記描画範囲集合記憶部に記憶されていた全ての領域の位置・範囲情報を初期化し、
前記画像圧縮部は、入力した全ての領域の位置・範囲情報に基づいて前記画像記憶部からそれぞれの領域の位置・範囲情報に対応する画像を読み出して圧縮処理し、前記画像圧縮データ記憶部に書き出すとともに前記画像送信部に画像圧縮データを送信するよう要求する、請求項６に記載の画像送信装置。
【請求項８】
前記描画範囲入力部が識別する描画された画像を包含する所定の領域は、矩形の範囲である、請求項６または請求項７に記載の画像送信装置。
【請求項９】
前記描画範囲限定部における前記描画範囲入力部から受け取った矩形範囲と前記描画範囲集合記憶部に既に記憶されている矩形範囲との比較と処理においては、
既に記憶されている矩形範囲のいずれかが、前記描画範囲入力部より与えられた矩形範囲を包含する場合は矩形範囲の集合の更新は行わず、
前記描画範囲入力部より与えられた矩形範囲が、既に記憶されている矩形範囲のいずれかを含む場合は、含まれた矩形範囲を除いて与えられた矩形範囲を新しい矩形範囲とし、
前記描画範囲入力部より与えられた矩形範囲が、既に記憶されている矩形範囲のいずれかと隣接する場合には、双方の矩形範囲を結合して新しい矩形範囲を生成し、
前記描画範囲入力部より与えられた矩形範囲が、既に記憶されている矩形範囲のいずれかと部分的に重なる場合は、双方の矩形範囲を包む最小の矩形範囲の画像圧縮時間とそれぞれの矩形範囲の画像圧縮時間の計とを比較して、双方の矩形範囲を包む最小の矩形範囲の方が少ない場合は既に記憶されている矩形範囲を除いて双方の矩形範囲を包む最小の矩形範囲を新しい矩形範囲とし、双方の矩形範囲を包む最小の矩形範囲の方が多い場合は前記描画範囲入力部より与えられた矩形範囲を新しい矩形範囲として登録する、請求項８に記載の画像送信装置。
【請求項１０】
画像データを画像表示部に送信する画像データ送信方法であって、
直近に画像データ生成部から前記画像表示部に送信された画像に対して変化している１箇所以上の画像の部分の画像データのみが実質的に含まれるフォーマットで、画像データを前記画像データ生成部から前記画像表示部へ送信し、
前記フォーマットは、前記画像の１箇所以上の画像データの領域を有し、各前記領域は前記画像データの変化した部分を取り囲む領域の画像データと、該領域の位置・範囲情報とを有する、画像データ送信方法。
【請求項１１】
変化した前記画像のそれぞれの領域は、所定の単一の形状を有する取り囲まれた範囲である、請求項１０に記載の画像データ送信方法。
【請求項１２】
前記所定の形状は、矩形である、請求項１１に記載の画像データ送信方法。
【請求項１３】
前記画像データ生成部を有する画像送信装置は、前記画像表示部を有する画像受信装置にネットワークを介して接続されており、
前記フォーマットによる画像データの送信は、前記画像送信装置と前記画像受信装置との間の前記ネットワーク上の画像送信が実質上輻輳している時間の間だけ実行される、請求項１０に記載の画像データ送信方法。
【請求項１４】
１箇所以上の前記領域における変化した前記画像データの圧縮が、前記画像送信装置から前記画像受信装置への送信の前に行われる、請求項１０に記載の画像データ送信方法。
【請求項１５】
前記画像送信装置の第１の記憶部には現在の画像が記憶されており、
前記画像送信装置の第２の記憶部には直近に変化した画像の範囲を囲む所定の形状の領域が記憶されており、
新たに画像が変化すると変化した画像の範囲を囲む所定の形状の領域が新たに形成され、前記第２の記憶部に既に記憶されている領域との関連付けが行われて該第２の記憶部に記憶される、請求項１０に記載の画像データ送信方法。
【請求項１６】
新たな前記領域と既に記憶されている前記領域との関連付けは、相互の範囲と位置関係とによって、新たな前記領域の不登録、新たな前記領域の新規登録、両領域を取り囲む新たな領域の登録によって行われる、請求項１５に記載の画像データ送信方法。
【請求項１７】
画像データ生成部を有する装置であって、
直近に前記画像データ生成部から画像表示部に送信された画像に対して変化している１箇所以上の画像の部分の画像データのみが実質的に含まれるフォーマットで、画像データを前記画像データ生成部から前記画像表示部に送信する画像データ送信部を有し、
前記フォーマットは、前記画像の１箇所以上の画像データの領域を有し、各前記領域は前記画像の変化した部分を取り囲む領域の画像データと、該領域の位置・範囲情報とを有する、画像データ生成部を有する装置。
【請求項１８】
変化した前記画像のそれぞれの領域は、所定の単一の形状を有する取り囲まれた範囲である、請求項１７に記載の画像データ生成部を有する装置。
【請求項１９】
前記所定の形状は、矩形である、請求項１７に記載の画像データ生成部を有する装置。
【請求項２０】
前記画像データ生成部を有する画像送信装置は、前記画像表示部を有する画像受信装置にネットワークを介して接続されており、
前記フォーマットによる画像の送信は、前記画像送信装置と前記画像受信装置との間の前記ネットワーク上の画像送信が実質上輻輳している時間の間だけ実行される、請求項１７に記載の画像データ生成部を有する装置。
【請求項２１】
１箇所以上の前記領域における変化した前記画像データの圧縮が、前記画像送信装置から前記画像受信装置への送信の前に行われる、請求項１７に記載の画像データ生成部を有する装置。
【請求項２２】
前記画像データ生成部の第１の記憶部には現在の画像データが記憶されており、
前記画像データ生成部の第２の記憶部には直近に変化した画像の範囲を囲む所定の形状の領域が記憶されており、
新たに画像が変化すると変化した画像の範囲を囲む所定の形状の領域が新たに形成され、前記第２の記憶部に既に記憶されている領域との関連付けが行われて該第２の記憶部に記憶される、請求項１７に記載の画像データ生成部を有する装置。
【請求項２３】
新たな前記領域の既に記憶されている前記領域との関連付けは、相互の範囲と位置関係によって、新たな前記領域の不記憶、新たな前記領域の新規記憶、両領域を取り囲む新たな領域の記憶によって行われる、請求項２２に記載の画像データ生成部を有する装置。
【請求項２４】
受信した画像データに基づいて画像を表示する画像表示部と、
画像データ生成部からの画像データを受信する受信部であって、前記画像データは、直近に前記画像データ生成部から画像表示装置に送信された画像に対して変化している部分の画像データのみが実質的に含まれるフォーマットとして受信され、前記フォーマットは、変化した前記画像の１ヶ所以上の領域からなり、各前記領域は変化した画像の範囲を取り囲む領域の画像データと該領域の位置・範囲情報とを有する、受信部と、
その前の受信によって修正された前記画像の前記画像データを記録する記録部と、
前記画像表示部に表示された直近の前記画像に、受信した前記フォーマットの１ヶ所以上の変化した前記画像データを組み合わせることによって、既存の前記画像を更新して前記画像表示部に表示する画像を提供する処理部と、を備えた画像表示装置。
【請求項２５】
変化した前記画像のそれぞれの領域は、所定の単一の形状を有する取り囲まれた範囲である、請求項２４に記載の画像表示装置。
【請求項２６】
前記所定の形状は、矩形である、請求項２５に記載の画像表示装置。
【請求項２７】
前記画像表示装置は、前記画像データ生成部にネットワークを介して接続されており、
送信のための前記フォーマットによる画像送信は、前記画像データ生成部と前記画像表示装置との間の前記ネットワーク上の画像送信が実質上輻輳している時間の間だけ実行される、請求項２４に記載の画像表示装置。
【請求項２８】
前記変化した画像データは圧縮された画像データであり、
さらに、圧縮された画像データの展開手段を有する、請求項２４に記載の画像表示装置。
【手続補正２】
【補正対象書類名】明細書
【補正対象項目名】発明の名称
【補正方法】変更
【補正の内容】
【発明の名称】画像伝送システムと画像送信装置と画像情報送信方法。
【手続補正３】
【補正対象書類名】明細書
【補正対象項目名】００１０
【補正方法】変更
【補正の内容】
【００１０】
画像処理装置は、描画範囲入力部、描画範囲限定部、描画範囲集合出力部、および画像圧縮部を有し、記憶装置は、画像描画部で描画された画像を記憶する画像記憶部、画像処理装置で識別および生成した領域のそれぞれの位置・範囲情報を記憶する描画範囲集合記憶部、および送信のための画像圧縮データを記憶する画像圧縮データ記憶部を有し、描画範囲入力部は、画像描画部によって新たに描画された画像を受け取って、描画された画像を包含する所定の領域を識別して描画範囲限定部に出力し、その描画範囲限定部は、描画範囲入力部から受け取った所定の領域を描画範囲集合記憶部から読み出した既に記憶されているそれぞれの所定の領域と比較し、受け取った領域に以前に記憶されている領域と重複する範囲のない場合はその領域を、以前に記憶されている領域と重複する範囲がある場合には重複する範囲を含んで生成した新しい領域を、領域のそれぞれの位置・範囲情報として描画範囲集合記憶部に書き込み、描画範囲集合出力部は、画像送信部より圧縮画像データの送信が可能との情報を受けると、描画範囲集合記憶部に記憶されている全ての領域の位置・範囲情報を読み出して画像圧縮部に受け渡すとともに描画範囲集合記憶部に記憶されていた全ての領域の位置・範囲情報を初期化し、画像圧縮部は、入力した全ての領域の位置・範囲情報に基づいて画像記憶部からそれぞれの領域の位置・範囲情報に対応する画像を読み出して圧縮処理し、画像圧縮データ記憶部に書き出すとともに画像送信部に画像圧縮データを送信するよう要求してもよい。また、描画範囲入力部が識別する描画された画像を包含する所定の領域は、矩形の範囲であってもよく、描画範囲限定部における描画範囲入力部から受け取った矩形範囲と描画範囲集合記憶部に既に記憶されている矩形範囲との比較と処理においては、既に記憶されている矩形範囲のいずれかが、描画範囲入力部より与えられた矩形範囲を包含する場合は矩形範囲の集合の更新は行わず、描画範囲入力部より与えられた矩形範囲が、既に記憶されている矩形範囲のいずれかを含む場合は、含まれた矩形範囲を除いて与えられた矩形範囲を新しい矩形範囲とし、描画範囲入力部より与えられた矩形範囲が、既に記憶されている矩形範囲のいずれかと隣接する場合には、双方の矩形範囲を結合して新しい矩形範囲を生成し、描画範囲入力部より与えられた矩形範囲が、既に記憶されている矩形範囲のいずれかと部分的に重なる場合は、双方の矩形範囲を包む最小の矩形範囲の画像圧縮時間とそれぞれの矩形範囲の画像圧縮時間の計とを比較して、双方の矩形範囲を包む最小の矩形範囲の方が少ない場合は既に記憶されている矩形範囲を除いて双方の矩形範囲を包む最小の矩形範囲を新しい矩形範囲とし、双方の矩形範囲を包む最小の矩形範囲の方が多い場合は描画範囲入力部より与えられた矩形範囲を新しい矩形範囲として登録してもよい。
【手続補正４】
【補正対象書類名】明細書
【補正対象項目名】００１１
【補正方法】変更
【補正の内容】
【００１１】
画像データを画像表示部に送信する画像データ送信方法は、直近に画像データ生成部から画像表示部に送信された画像に対して変化している１箇所以上の画像の部分の画像データのみが実質的に含まれるフォーマットで、画像データを画像データ生成部から画像表示部へ送信し、フォーマットは、画像の１箇所以上の画像データの領域を有し、各領域は前記画像の変化した部分を取り囲む領域の画像データと、その領域の位置・範囲情報とを有し、画像データ生成部を有する装置は、直近に画像データ生成部から画像表示部に送信された画像に対して変化している１箇所以上の画像の部分の画像データ情報のみが実質的に含まれるフォーマットで、画像データを画像データ生成部から画像表示部に送信する画像データ送信部を有し、画像表示装置は、受信した画像データに基づいて画像を表示する画像表示部と、直近に画像データ生成部から画像表示装置に送信された画像に対して変化している部分の画像データのみが実質的に含まれるフォーマットとして受信され、フォーマットは、変化した画像の１ヶ所以上の領域からなり、各領域は変化した画像の範囲を取り囲む領域の画像データとその領域の位置・範囲情報とを有する画像データを受信する受信部と、その前の受信によって修正された画像の画像データを記録する記録部と、画像表示部に表示された直近の画像に、受信したフォーマットの１ヶ所以上の変化した画像データを組み合わせることによって、既存の画像を更新して画像表示部に表示する画像を提供する処理部とを備える。